(57)【要約】      （修正有）【課題】個々に圧縮空気貯蔵装置とエアーホースリールを移動させる事も無く一体に移動可能であり、圧縮空気貯蔵装置によって安定して圧縮空気を供給することができ、圧縮空気貯蔵装置から高圧用の減圧弁と回転継手を経由して巻き取りホースに接続することで高圧の圧縮空気を巻き取りホースの先端から供給することを可能とした。【解決手段】  圧縮空気を送り込む入口ホース２０２に圧縮空気を貯留する圧縮空気貯蔵装置１２０、１３０、２０４を接続し、圧縮空気貯蔵装置の下流に高圧用の減圧弁１２１と回転継手１１５と巻き取りホース１１３を巻いたエアーホースリール１１０を記載の順に配設し、圧縮空気貯蔵装置と高圧用の減圧弁１２１と回転継手１１５とエアーホースリール１１０を一体に構成した。【選択図】図１
2009046302.tif 000002
【特許請求の範囲】
【請求項１】
圧縮空気を送り込む入口ホース（２０２、２０２Ａ）に圧縮空気を貯留する圧縮空気貯蔵装置（１２０、１３０、２０４、１４０）を接続し、前記圧縮空気貯蔵装置（１２０、１３０、２０４、１４０）の下流に圧縮空気の圧力を減圧する高圧用の減圧弁（１２１）と回転している中で圧縮空気を流す回転継手（１１５）と高圧の空圧機器に接続可能な巻き取りホース（１１３）を巻いたエアーホースリール（１１０）を記載の順に配設し、前記圧縮空気貯蔵装置（１２０、１３０、２０４、１４０）と前記高圧用の減圧弁（１２１）と前記回転継手（１１５）と前記エアーホースリール（１１０）を一体に構成したことを特徴とする補助タンク付きエアーホースリール。
【請求項２】
前記圧縮空気貯蔵装置（１２０、１３０、２０４、１４０）に圧縮空気の圧力を減圧する低圧用の減圧弁（１３１）を設け低圧の空圧機器に接続可能にしたことを特徴とする請求項１に記載の補助タンク付きエアーホースリール。
【請求項３】
前記圧縮空気貯蔵装置（１２０、１３０、２０４）は、第一補助タンク（１２０）と第二補助タンク（１３０）を導通管（２０４）によって接続することで一体のような形で使用可能にしたことを特徴とする請求項１または請求項２に記載の補助タンク付きエアーホースリール。
【請求項４】
前記第一補助タンク（１２０）と前記第二補助タンク（１３０）は同じ大きさであり、両者を平行に並べて接続したことを特徴とする請求項３に記載の補助タンク付きエアーホースリール。
【請求項５】
前記エアーホースリール（１１０）は、前記圧縮空気貯蔵装置（１２０、１３０、２０４、１４０）の上部に固定したことを特徴とする請求項１ないし請求項４のいずれか１項に記載の補助タンク付きエアーホースリール。
【請求項６】
高圧の空圧機器である高圧用釘打機（３０）と前記巻き取りホース（１１３）の間を接続する高圧継手（１１８）と低圧の空圧機器である低圧用釘打機（２０）と前記低圧用の減圧弁（１３１）の間を接続する低圧継手（１３２）の形状は、両者を間違って接続しても接続不可能な形状であることを特徴とする請求項２ないし請求項５のいずれか１項に記載の補助タンク付きエアーホースリール。
【請求項７】
前記高圧用の減圧弁（１２１）は２ＭＰａ以上に設定可能であり、前記低圧用の減圧弁（１３１）は２ＭＰａ以下に設定可能であることを特徴とする請求項２ないし請求項６のいずれか１項に記載の補助タンク付きエアーホースリール。
【請求項８】
前記エアーホースリール（１１０）を構成している架台（１１１）の上部に、前記巻き取りホース（１１３）が周囲に散逸しないように拘束するホースガイド（１１ａ）を形成したことを特徴とする請求項１ないし請求項７のいずれか１項に記載の補助タンク付きエアーホースリール。
【発明の詳細な説明】
【技術分野】
【０００１】  本発明は、補助タンクである圧縮空気貯蔵装置とエアーホースリールを一体にした、加えて二種類の圧縮空気を使用可能とした補助タンクを付きエアーホースリールに関する技術について述べたものである。
【背景技術】
【０００２】  従来の、エアーホースリールに関する技術としては、圧縮ガス送給用ホースの巻付けドラム本体（本願発明のリールに該当）を中空気密構造として貯留タンクとしたものはあり（例えば、特許文献１参照）、加えて使用する圧縮空気も一種類の圧縮空気を使用することに限定され、二種類の圧縮空気を使用可能とするものはなかった。【０００３】  この場合、特許文献１の第１図に見られるように、矩形状に組合わされたフレーム２の左右両端部にはドラム支持板２ａ、２ｂが固設され、該支持板２ａ、２ｂの略中央部を貫通して支軸１６ａ、１６ｂが回転自在に支承される。  支軸１６ｂの１端はフランジ４ｂに固定されると共に、他端は回転ハンドル５に連結される。  一方支軸１６ａはフランジ４ａを貫通して貯留タンク９に連結される。  該支軸１６ａは中空の管状物で構成され、その一方端は貯留タンク９内に連通し、他方端は継手７を介して圧縮空気供給側のホース６と連結される。  フランジ４ａ及び４ｂは板状の連結材１０によって結合され、該連結材１０の内側に設けられた貯留タンク９と共にドラム本体３を形成している。  但し、あくまでも一種類の圧縮空気を使用することに限定されている。
【特許文献１】実開昭６３−１４８６８１
【発明の開示】
【発明が解決しようとする課題】
【０００４】  しかしながら、このような従来の技術に関しては、以下に示すような課題があった。【０００５】  先ず、リールを補助タンクである圧縮空気貯蔵装置と兼用した場合、補助タンクそのものが回転する為に、容積の関係から、また回転させるハンドルが重たくなることから、補助タンクである圧縮空気貯蔵装置の容量を大きくすることが困難であった。  また、貯蔵する圧縮空気を高圧にすればするほど構造的に強固なものを必要とし、それが重量の増大に繋がっていた。【０００６】  また、リールを補助タンクである圧縮空気貯蔵装置と兼用した場合、リールを回転させる間に補助タンクである圧縮空気貯蔵装置内に溜まったドレン水が、リールの巻き取りホースや圧縮空気を使用する各種の空圧機器に流れていくという問題があった。  特に、ポリウレタン製の巻き取りホースは、加水分解をおこす為に水に弱く、更に各種の空圧機器にドレン水がまわると、スティックや錆付き等の悪影響を及ぼすという問題をおこしていた。【０００７】  更には、補助タンクである圧縮空気貯蔵装置には補助タンク内に溜まったドレン水を排出する為の弁を配設する必要があるが、回転する補助タンクに配設した弁の位置によってはドレン水を排出することが出来ず、また外部に突起している弁は、リールを兼用している補助タンクを回転させる際には邪魔であった。【０００８】  その中で、二種類の圧縮空気を使用する場合には、エアーホースリールは当然としてエアーコンプレッサも含めて二組の装置を必要とした。
【課題を解決するための手段】
【０００９】  本発明は、圧縮空気を送り込む入口ホース２０２、２０２Ａに圧縮空気を貯留する圧縮空気貯蔵装置１２０、１３０、２０４、１４０を接続し、前記圧縮空気貯蔵装置１２０、１３０、２０４、１４０の下流に圧縮空気の圧力を減圧する高圧用の減圧弁１２１と回転している中で圧縮空気を流す回転継手１１５と高圧の空圧機器に接続可能な巻き取りホース１１３を巻いたエアーホースリール１１０を記載の順に配設し、前記圧縮空気貯蔵装置１２０、１３０、２０４、１４０と前記高圧用の減圧弁１２１と前記回転継手１１５と前記エアーホースリール１１０を一体に構成したことを特徴とし、更には、前記圧縮空気貯蔵装置１２０、１３０、２０４、１４０に圧縮空気の圧力を減圧する低圧用の減圧弁１３１を設け低圧の空圧機器に接続可能にしたことを特徴とし、更には、前記圧縮空気貯蔵装置１２０、１３０、２０４は、第一補助タンク１２０と第二補助タンク１３０を導通管２０４によって接続することで一体のような形で使用可能にしたことを特徴とし、更には、前記第一補助タンク１２０と前記第二補助タンク１３０は同じ大きさであり、両者を平行に並べて接続したことを特徴とし、更には、前記エアーホースリール１１０は、前記圧縮空気貯蔵装置１２０、１３０、２０４、１４０の上部に固定したことを特徴とし、更には、高圧の空圧機器である高圧用釘打機３０と前記巻き取りホース１１３の間を接続する高圧継手１１８と低圧の空圧機器である低圧用釘打機２０と前記低圧用の減圧弁１３１の間を接続する低圧継手１３２の形状は、両者を間違って接続しても接続不可能な形状であることを特徴とし、更には、前記高圧用の減圧弁１２１は２ＭＰａ以上に設定可能であり、前記低圧用の減圧弁１３１は２ＭＰａ以下に設定可能であることを特徴とし、更には、前記エアーホースリール１１０を構成している架台１１１の上部に、前記巻き取りホース１１３が周囲に散逸しないように拘束するホースガイド１１ａを形成したことを特徴とすることによって、上記課題を解決したのである。
【発明の効果】
【００１０】  以上の説明から明らかなように、本発明によって、以下に示すような効果をあげることが出来る。【００１１】  第一に、圧縮空気を送り込む入口ホースに圧縮空気を貯留する圧縮空気貯蔵装置を接続し、圧縮空気貯蔵装置の下流に圧縮空気の圧力を減圧する高圧用の減圧弁と回転している中で圧縮空気を流す回転継手と高圧の空圧機器に接続可能な巻き取りホースを巻いたエアーホースリールを記載の順に配設し、圧縮空気貯蔵装置と高圧用の減圧弁と回転継手とエアーホースリールを一体に構成したことで、個々に圧縮空気貯蔵装置とエアーホースリールを移動させる事も無く一体に移動可能であり、圧縮空気貯蔵装置によって安定して圧縮空気を供給することが可能であり、圧縮空気貯蔵装置から高圧用の減圧弁と回転継手を経由して巻き取りホースに接続することで高圧の圧縮空気を巻き取りホースの先端から供給することが可能となった。【００１２】  第二に、圧縮空気貯蔵装置に圧縮空気の圧力を減圧する低圧用の減圧弁を設け低圧の空圧機器に接続可能にしたことで、二種類の圧縮空気を使用する場合でも本願発明の一組の装置で対応することが可能となった。【００１３】  第三に、圧縮空気貯蔵装置は、第一補助タンクと第二補助タンクを導通管によって接続することで一体のような形で使用可能にしたことで、圧縮空気の必要とする十分な量を貯留することが可能となった。【００１４】  第四に、第一補助タンクと第二補助タンクは同じ大きさであり、両者を平行に並べて接続したことで、構造的にも安定した状態で構成することが可能となった。【００１５】  第五に、エアーホースリールは、圧縮空気貯蔵装置の上部に固定したことで、大きな面積を占有しないコンパクトな装置が可能となった。【００１６】  第六に、高圧の空圧機器である高圧用釘打機と巻き取りホースの間を接続する高圧継手と低圧の空圧機器である低圧用釘打機と低圧用の減圧弁の間を接続する低圧継手の形状は、両者を間違って接続しても接続不可能な形状であることで、間違って低圧用釘打機に高圧の圧縮空気を接続することを防止出来るようになった。【００１７】  第七に、高圧用の減圧弁は２ＭＰａ以上に設定可能であり、低圧用の減圧弁は２ＭＰａ以下に設定可能であることで、本願発明の装置によってあらゆる圧力の空圧機器に対応することが可能となった。【００１８】  第八に、エアーホースリールを構成している架台の上部に、巻き取りホースが周囲に散逸しないように拘束するホースガイドを形成したことで、常に巻き取りホースの先端を希望する特定の方向に向けることが可能となり、使用する者にとって非常に使い易い装置を提供することが可能となった。
【発明を実施するための最良の形態】
【００１９】  以下、本発明の実施の形態を図面と共に詳細に説明する。
ここで、図１は、本願発明の正面図であり、図２は、本願発明の側面図であり、図３は、本願発明の別の内容を示した正面図である。【００２０】（第一の実施例）
図１と図２に見られるように、１００は補助タンク付きエアーホースリールであって、圧縮空気を送り込む入口ホース２０２に圧縮空気を貯留する圧縮空気貯蔵装置１２０、１３０、２０４を接続し、圧縮空気貯蔵装置１２０、１３０、２０４の下流に圧縮空気の圧力を減圧する高圧用の減圧弁１２１と回転している中で圧縮空気を流す回転継手１１５と高圧の空圧機器に接続可能な巻き取りホース１１３を巻いたエアーホースリール１１０を記載の順に配設し、構成している主要な部分の圧縮空気貯蔵装置１２０、１３０、２０４と高圧用の減圧弁１２１と回転継手１１５とエアーホースリール１１０を一体に構成しているのである。【００２１】  尚、圧縮空気貯蔵装置１２０、１３０、２０４に関しては、第一補助タンク１２０と第二補助タンク１３０を導通管２０４によって接続することで一体にしたものであり、更にエアーホースリール１１０は、圧縮空気貯蔵装置１２０、１３０、２０４の上部に固定した状態で構成している。【００２２】  ここで、エアーホースリール１１０と圧縮空気貯蔵装置１２０、１３０，２０４との間に関しては、固定板１１６を介して一体になっていて、具体的に図示していないが、エアーホースリール１１０と固定板１１６の間と、固定板１１６と圧縮空気貯蔵装置１２０、１３０，２０４の間のうちの、両者をまたは一方を、ボルトによって固定したり溶接によって固定している。【００２３】  また、第一補助タンク１２０と第二補助タンク１３０は同じ大きさであり、両者を平行に並べて接続したものである。  但し、容量に関しては、第一補助タンク１２０と第二補助タンク１３０が、同じ大きさということにこだわる必要は無く、接近している容量では全く問題は無いし、例えば同じ大きさの場合には四個所で地面と接することは自然であるが、三箇所で地面と接することも考えられるし、三箇所で地面と接することに拘るならば、長さ方向を中心に二倍に近い差を持たせることも考えられる。【００２４】  この場合、エアーホースリール１１０に関しては、架台１１１にリール１１２が装着され、更にリール１１２には数十メートルの所に圧縮空気を送る為のホースである巻き取りホース１１３を送り出したり巻き取ったりする事が可能となっていて、従ってリール１１２を回転させることが可能なようになっている。【００２５】  即ち、架台１１１には、前方と後方の略中央部の二箇所に水平に位置した状態で軸１１４を支持する板が配置してあって、軸１１４を介してリール１１２が装着されているが、軸１１４の一端には、接続していて回転する中で圧縮空気を流す回転継手１１５と、別の一端には、接続しているハンドル１１７によって、リール１１２の回転を可能としているのである。【００２６】  また、エアーホースリール１１０の上部には水平に位置した状態で、ホースガイド１１ａが形成されていて、そのホースガイド１１ａに巻き取りホース１１３を通すことで、巻き取りホース１１３が周囲に散逸しないように、またホースガイド１１ａに通した巻き取りホース１１３の先端がホースガイド１１ａより簡単に離脱しないように拘束しているのである。【００２７】  尚、エアーホースリール１１０を構成している架台１１１の上部に形成しているホー��ガイド１１ａの数と場所に関しては、側面と正面の上部で、一箇所でも二箇所でも三箇所でも四個所でも構わないが、巻き取りホース１１３を巻き取る際に、巻き取りホース１１３の端部に位置している高圧継手１１８がホースガイド１１ａの位置で停止することが大切なことである。【００２８】  所で、圧縮空気の流れから見た構成を示すと、タンク１１とコンプレッサ１２と電動モータ１３から構成されているエアーコンプレッサ１０からの圧縮空気が、入口ホース２０１と、手動によって圧縮空気の流れを開閉する開閉弁１４と、入口ホース２０２を経由して、第二補助タンク１３０に形成されている圧縮空気入口１３０ａより圧縮空気貯蔵装置１２０、１３０、２０４を構成している第二補助タンク１３０に送り込まれるようになっている。【００２９】  そして、第二補助タンク１３０に送り込まれた圧縮空気は、圧縮空気貯蔵装置１２０、１３０、２０４として一体となってエアーコンプレッサ１０で作り出された圧力のままでまとめて貯留されるようになっている。【００３０】  その様な状況の中で、圧縮空気貯蔵装置１２０、１３０、２０４を構成している第一補助タンク１２０から、ホース２０５と、エアーコンプレッサ１０によって作り出された圧縮空気より少し減圧する高圧用の減圧弁１２１と、高圧ホース２０８と、回転継手１１５と、中心を圧縮空気が通過するようになっている軸１１４と、巻き取りホース１１３と、高圧継手１１８と、高圧ホース２０９を経由して、高圧の圧縮空気を高圧用釘打機３０を含む高圧の空圧機器に送ることが出来るようになっている。【００３１】  この場合、巻き取りホース１１３と高圧ホース２０９を接続している高圧継手１１８は、ワンタッチで接続可能であると同時に、接続していない場合には圧縮空気が流れないようになっている。【００３２】  一方、圧縮空気貯蔵装置１２０、１３０、２０４を構成している第二補助タンク１３０から、ホース２０３と、エアーコンプレッサ１０によって作り出された圧縮空気よりかなり減圧する低圧用の減圧弁１３１と、低圧ホース２０６と、低圧継手１３２と、低圧ホース２０７を経由して、低圧の圧縮空気を低圧用釘打機２０を含む低圧の空圧機器に送ることが出来るようになっている。【００３３】  この場合も、低圧ホース２０６と低圧ホース２０７を接続している低圧継手１３２は、ワンタッチで接続可能であると同時に、接続していない場合には圧縮空気が流れないようになっている。【００３４】  ここで、高圧用釘打機３０と巻き取りホース１１３の間を接続する高圧継手１１８と低圧用釘打機２０と低圧用の減圧弁１３１の間を接続する低圧継手１３２両者の形状は、両者を間違って接続しても接続不可能な形状とすることで、万一高圧継手１１８の側に低圧用釘打機２０を接続した低圧ホース２０７の低圧継手１３２を接続しようとしても、不慮の事故が発生しないように配慮している。【００３５】  但し、圧縮空気入口１３０ａに関しては、第二補助タンク１３０に形成しているが、第一補助タンク１２０に形成しても構わないし、ホース２０５に関しては、第一補助タンク１２０に形成しているが、第二補助タンク１３０に形成しても構わないし、ホース２０３に関しては、第二補助タンク１���０に形成しているが、第一補助タンク１２０に形成しても構わない。  更に、導通管２０４を取り除いて第一補助タンク１２０と第二補助タンク１３０を直接に接続することも考えられる。【００３６】  これ等の構成を具体的な一つの例として示すと、エアーコンプレッサ１０によって作り出された３ＭＰａの圧縮空気を、５リットルの第一補助タンク１２０と第二補助タンク１３０に貯留し、２ＭＰａ以上の圧力に減圧して高圧用釘打機３０に使用する一方で、２ＭＰａ以下の圧力に更に減圧して低圧用釘打機２０に使用ようなことが考えられる。但し、記載したこれ等の値に関しては、その値に限定されるものでは無く、その他の値も考えられる。【００３７】  本発明による、補助タンク付きエアーホースリールは前述したように構成されており、以下にその動作について説明する。【００３８】  先ず、各種の空圧機器を使用する場所にエアーコンプレッサ１０と補助タンク付きエアーホースリール１００を運搬してから両者を接続し、エアーコンプレッサ１０を構成している電動モータ１３を作動させると、コンプレッサ１２によって作り出された圧縮空気が一旦エアーコンプレッサ１０を構成しているタンク１１に貯留され、更に入口ホース２０１と開放状態になっている開閉弁１４と入口ホース２０２を経由して、圧縮空気入口１３０ａから圧縮空気貯蔵装置１２０、１３０、２０４に送り込まれる。  この場合、エアーコンプレッサ１０で作り出される圧縮空気の圧力としては、２〜４ＭＰａの範囲のものが考えられる。【００３９】  ここで、圧縮空気貯蔵装置１２０、１３０、２０４に流入した圧縮空気は、低圧用の減圧弁１３１と高圧用の減圧弁１２１を経由することで低圧と高圧の二種類の圧縮空気の利用が可能となっている。  尚、前述までの一例として、圧力に関係する色々な値を述べてきたが、個々の値には関係無く圧力の違う二種類の圧縮空気の利用が可能であるということである。【００４０】  そして、低圧の圧縮空気は、圧縮空気貯蔵装置１２０、１３０、２０４から、ホース２０３と低圧用減圧弁１３１と低圧ホース２０６と低圧継手１３２と低圧ホース２０７を経由して、低圧の圧縮空気を使用する低圧用釘打機２０を含む低圧の空圧機器に供給可能となっている。【００４１】  また、高圧の圧縮空気は、圧縮空気貯蔵装置１２０、１３０、２０４から、ホース２０５と高圧用の減圧弁１２１と高圧ホース２０８と回転継手１１５と軸１１４の中心を通って、巻き取りホース１１３と高圧継手１１８と高圧ホース２０９を経由した後に、高圧の圧縮空気を使用する高圧用釘打機３０を含む高圧の空圧機器に供給可能となっているのである。【００４２】  当然のことながら、高圧の圧縮空気が巻き取りホース１１３の側に送られることに限定される必要はなく、圧縮空気貯蔵装置１２０、１３０、２０４から低圧用減圧弁１３１を経由して巻き取りホース１１３の側に送られるなら、低圧用釘打機２０を含む低圧の空圧機器に供給しても構わないし、一方圧縮空気貯蔵装置１２０、１３０、２０４から高圧用減圧弁１２１を経由するなら、巻き取りホース１１３を経由しないで高圧用釘打機３０を含む高圧の空圧機器に供給しても構わない。【００４３】  その様な状況の中で、巻き取りホース１１３を送り出す際には、巻き取りホース１１３の先端部、またはそれに接続している高圧継手１１８や高圧用釘打機３０等の空圧機器を引っ張って行く事で送り出す事が可能であるが、一方巻き取りホース１１３をリール１１２に巻き取るに際には、ハンドル１１７を使用することになる。  また、巻き取りホース１１３を送り出すに際しても、巻き取りホース１１３の先端部がホースガイド１１０ａによって常に一定の方向を向いているので、目的とする方向に容易に送り出すことが可能となっている。【００４４】  尚、エアーホースリール１１０は、圧縮空気貯蔵装置１２０、１３０、２０４である平行に並べた同じ大きさの第一補助タンク１２０と第一補助タンク１２０の間を導通管２０４で接続した上部に一体に固定させているので、狭い場所でも位置させることが可能であり、一定量の圧縮空気を貯留する安定した状態で空圧機器を操作することが可能となっている。【００４５】  所で、高圧用釘打機３０と巻き取りホース１１３の間を接続する高圧継手１１８と、低圧用釘打機２０と低圧用の減圧弁１３１の間を接続する低圧継手１３２の接続に際しての形状に関しては、万一両者を間違って高圧継手１１８の側に低圧用の空圧機器を接続している低圧継手１３２を接続しても接続不可能な形状となっているので、低圧用釘打機２０を高圧継手１１８の方に接続して破損を含む不慮の事故を起こすということは防止されている。【００４６】（第二の実施例）
図３に見られるように、１００Ａは補助タンク付きエアーホースリールであって、圧縮空気を送り込む入口ホース２０２Ａに圧縮空気を貯留する圧縮空気貯蔵装置１４０を接続し、圧縮空気貯蔵装置１４０下流に圧縮空気の圧力を減圧する高圧用の減圧弁１２１と回転している中で圧縮空気を流す回転継手１１５と高圧の空圧機器に接続可能な巻き取りホース１１３を巻いたエアーホースリール１１０を記載の順に配設し、構成している主要な部分の圧縮空気貯蔵装置１４０と高圧用の減圧弁１２１と回転継手１１５とエアーホースリール１１０を一体に構成しているのである。【００４７】  従って、第二の実施例が第一の実施例と異なる点は、第一の実施例の圧縮空気貯蔵装置１２０、１３０、２０４の構成に対し、第二の実施例の圧縮空気貯蔵装置１４０単独の構成になっていることである。  即ち、第一の実施例が第一補助タンク１２０と第一補助タンク１２０の間を導通管２０４で接続して一つの補助タンクのような働きをしているのに対して、第二の実施例は補助タンク１４０が単独でその役目をしているということなのである。【００４８】  尚、第一の実施例の圧縮空気貯蔵装置１２０、１３０、２０４の構成に対しての、第二の実施例の圧縮空気貯蔵装置１４０以外の内容については、第二の実施例は第一の実施例と同じ内容であるのでその内容を記載することは省略する。  但し、あえて述べると固定板１１６と圧縮空気貯蔵装置１４０との間の安定性を増す意味で支柱を設けることは考えられる。【００４９】  本発明による、補助タンク付きエアーホースリールは前述したように構成されており、以下にその動作について説明する。【００５０】  この場合、第一の実施例が第一補助タンク１２０と第二補助タンク１３０の間を導通管２０４で接続して一つの補助タンクのような働きをしているのに対して、第二の実施例は補助タンク１４０が単独でその役目をしているということであり、具体的には貯留される圧縮空気が両者共エアーコンプレッサ１０で作り出されたものがそのまま第一の実施例の場合は導通管２０４を通して第一補助タンク１２０と第二補助タンク１３０の二つのタンク貯留されるのに対し、第二の実施例の場合は補助タンク１４０に貯留されるということである。【００５１】  一方、第一の実施例で記載している、圧縮空気貯蔵装置１２０、１３０、２０４に流入した圧縮空気が圧力の違う二種類の圧縮空気を利用することが可能であるという内容については、第二の実施例の圧縮空気が流入して圧縮空気貯蔵装置１４０に貯留される違いとは別として、高圧用の減圧弁１２１から巻き取りホース１１３から送り出される動作と低圧用の減圧弁１３１に関することと併せて、第一の実施例と同じ内容になるので詳細を記載することは省略する。【００５２】  ところで、第一の実施例と第二の実施例共に、圧縮空気貯蔵装置１２０、１３０、２０４、１４０の事例しか示していないが、この例に限定される必要は無く、パイプ材を使用した中空状の架台１１１または中空状のリール１１２そのものを補助タンクとして使用することも考えられる。【００５３】  また、第一の実施例と第二の実施例共に、圧縮空気貯蔵装置１２０、１３０、２０４、１４０から、高圧用の減圧弁１２１と回転継手１１５を経由して前記巻き取りホース１１３に接続する事例しか示していないが、この例に限定される必要は無く圧縮空気貯蔵装置１２０、１３０、２０４、１４０から、低圧用の減圧弁１３１と回転継手１１５を経由して前記巻き取りホース１１３に接続することも考えられる。【００５４】  更に、第一の実施例と第二の実施例共に、一方の圧縮空気は巻き取りホース１１３から他方の圧縮空気は低圧ホース２０６から送り出すようになっていて、この場合には二種類の圧縮空気を同時に使用することが出来るが、二種類の圧縮空気を同時に使用することが出来なくても良ければ、二種類の圧縮空気を巻き取りホース１１３から送り出すことは容易なことである。【００５５】  尚、第一の実施例と第二の実施例共に、圧縮空気貯蔵装置１２０、１３０、２０４、１４０とエアーホースリール１１０を一体にする手段として圧縮空気貯蔵装置１２０、１３０、２０４、１４０の上部にエアーホースリール１１０を位置させる内容を示しているのであるが、圧縮空気貯蔵装置１２０、１３０、２０４、１４０の下部にエアーホースリール１１０を一体に位置させたり、や横の部分にエアーホースリール１１０を一体に位置させることも考えられる。【００５６】  そして、第一の実施例と第二の実施例共に、低圧用釘打機２０と低圧継手１３２と高圧用釘打機３０と高圧継手１１８も含めて、圧縮空気貯蔵装置１２０、１３０、２０４、１４０及びエアーホースリール１１０と一体に構成することも考えられる。【００５７】  加えて、第一の実施例と第二の実施例共に、エアーコンプレッサ１０も含めて、圧縮空気貯蔵装置１２０、１３０、２０４、１４０及びエアーホースリール１１０と一体に構成することも考えられる。
【産業上の利用可能性】
【００５８】  この発明は、補助タンクである圧縮空気貯蔵装置とエアーホースリールを一体にした、加えて二種類の圧縮空気を使用可能とした、特に高圧用釘打機等を使用する作業現場に非常に有効となる、補助タンクを付きエアーホースリールに関する技術について述べたものである。
【図面の簡単な説明】
【００５９】
【図１】  本願発明の正面図
【図２】  本願発明の側面図
【図３】  本願発明の別の内容を示した正面図
【符号の説明】
【００６０】  １０・・・・・・エアーコンプレッサ
１１・・・・・・タンク
１２・・・・・・コンプレッサ
１３・・・・・・電動モータ
１４・・・・・・開閉弁
２０・・・・・・低圧用釘打機
３０・・・・・・高圧用釘打機
１００・・・・・補助タンク付きエアーホースリール
１００Ａ・・・・補助タンク付きエアーホースリール
１１０・・・・・エアーホースリール
１１０ａ・・・・ホースガイド
１１１・・・・・架台
１１２・・・・・リール
１１３・・・・・巻き取りホース
１１４・・・・・軸
１１５・・・・・回転継手
１１６・・・・・固定板
１１７・・・・・ハンドル
１１８・・・・・高圧継手
１２０・・・・・第一補助タンク（圧縮空気貯蔵装置）
１２１・・・・・高圧用の減圧弁
１３０・・・・・第二補助タンク（圧縮空気貯蔵装置）
１３０ａ・・・・圧縮空気入口
１３１・・・・・低圧用の減圧弁
１３２・・・・・低圧継手
１４０・・・・・補助タンク（圧縮空気貯蔵装置）
１４０ａ・・・・圧縮空気入口
２０１・・・・・入口ホース
２０２・・・・・入口ホース
２０２Ａ・・・・入口ホース
２０３・・・・・ホース
２０４・・・・・導通管（圧縮空気貯蔵装置）
２０５・・・・・ホース
２０６・・・・・低圧ホース
２０７・・・・・低圧ホース
２０８・・・・・高圧ホース
２０８Ａ・・・・高圧ホース
２０９・・・・・高圧ホース
【図１】
2009046302.tif 000003
【図２】
2009046302.tif 000004
【図３】
2009046302.tif 000005